【事件の表示】
　特許第２９１８１５９号「パチンコ機」の特許に対する特許異議の申立てについて、次のとおり決定する。
【結　論】
　訂正を認める。
　特許第２９１８１５９号の特許を維持する。
【理　由】
【１】手続きの経緯
　特許２９１８１５９号（以下「本件発明」という。）は、昭和６２年６月２９日に特許出願され、平成１１年４月２３日に特許の設定登録がなされた。
　これに対して、「上田実」より特許異議の申立てがなされ、取消理由通知がなされ、その指定期間内である平成１２年９月１１日に訂正請求がなされ、再度の取消理由通知がなされ、その指定期間内である平成１２年１１月２８日に再度の訂正請求がなされた。
　
【２】訂正の内容
（１）特許請求の範囲の訂正
　特許請求の範囲を下記のとおり訂正。
　「特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする制御回路が設けられた賞品球排出装置の制御基板（２４）とを各々別基板として備え、前記入賞装置の制御基板（２３）と前記賞品球排出装置の制御基板（２４）とを他の制御回路基板（２６，２７）及び中継基板（２５Ａ，２５Ｂ）から分離・独立してそれぞれの基板毎にパチンコ機本体に適宜配設すると共に、前記入賞装置の制御基板（２３）と前記賞品球排出装置の制御基板（２４）とに各々コネクタ（Ｂ３），（Ｆ１）を設け、前記両コネクタ（Ｂ３，Ｆ１）を介して前記入賞装置の制御基板（２３）と前記賞品球排出装置の制御基板（２４）とを相互に接続すると共に、前記入賞装置の制御基板（２３）に設けられたコネクタ（Ｂ２）と、前記入賞信号スイッチ（ＳＷ７）から引き出されたコードに設けたコネクタとを脱着可能に配線接続したことを特徴とするパチンコ機。」
（２）発明の詳細な説明の訂正
（２−１）特許明細書（平成８年８月６日付け手続補正書により補正された全文明細書。以下、同じ。）第３頁第２６行〜第４頁第１３行（公報第４欄第２８〜４８行）を下記のとおり訂正。
　「本発明のパチンコ機は、上記課題を解決するために、特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする制御回路が設けられた賞品球排出装置の制御基板（２４）とを各々別基板として備え、前記入賞装置の制御基板（２３）と前記賞品球排出装置の制御基板（２４）とを他の制御回路基板（２６，２７）及び中継基板（２５Ａ，２５Ｂ）から分離・独立してそれぞれの基板毎にパチンコ機本体に適宜配設すると共に、前記入賞装置の制御基板（２３）と前記賞品球排出装置の制御基板（２４）とに各々コネクタ（Ｂ３），（Ｆ１）を設け、前記両コネクタ（Ｂ３，Ｆ１）を介して前記入賞装置の制御基板（２３）と前記賞品球排出装置の制御基板（２４）とを相互に接続すると共に、前記入賞装置の制御基板（２３）に設けられたコネクタ（Ｂ２）と、前記入賞信号スイッチ（ＳＷ７）から引き出されたコードに設けたコネクタとを脱着可能に配線接続したことを特徴とする構成を有するものである。」
（２−２）特許明細書第７頁第２７行〜第８頁第１行（公報第７欄第３２〜３４行）を下記のとおり訂正。
　「第３図は本発明の実施例の電気回路図を示し、２３は電役基板、２４はケース基板、２５Ａは第１端子板、２５Ｂは第２端子板、２６は防犯基板、２７はモーター基板である。」
（２−３）特許明細書第９頁第２４行（公報第８欄第４８行）の「第１実施例」を「実施例」に訂正。
（２−４）特許明細書第１３頁第１０行〜第１７頁第１６行（公報第１１欄第２１行〜第１４欄第１９行）を削除。
（２−５）特許明細書第１７頁第２８行〜第１９頁第１３行（公報第１４欄第３４行〜第１６欄第１６行）を下記のとおり訂正。
　「第１図は、本発明の実施例に係わるパチンコ機の正面図、第２図は、第１図の背面図、第３図は、本発明の実施例の電気回路図である。
１…パチンコ遊技機、２…基枠、３…ガラス板、４…金枠、５…遊技盤、
６…センター役物（入賞装置）、７…チャッカー（入賞装置）、
８…開閉板式役物（入賞装置）、９…開閉羽根式役物（入賞装置）、
１０…アウト球受口、１１…賞球払出口、１２…打球待機樋、
１３…賞球排出口、１４…球受皿、１５…打球ハンドル、１６…外レール、
１７…内レール、２０…賞球タンク、２１…タンクレール、
２２…賞球ケース、２３…電役基板、２４…ケース基板、２５…端子板、
２５Ａ…第１端子板、２５Ｂ…第２端子板、２６…防犯基板、
２７…モーター基板、２８…中継線、２９…中継線、３０…中継線、
３１…中継線、３２…中継線、３５，３７…ヒューズ、３６…差込みプラグ、
３８…整流器、４０…第１端子板、４１…第２端子板、４２…防犯基板、
４３…モーター駆動基板、Ｋ…錠、
Ｍ１…球切りモーター、Ｍ２…発射モーター（発射装置）、
Ｍ３…賞品球払出モーター、Ｌ１…球切れ表示灯（表示装置）、
Ｌ２…不正表示灯（表示装置）、Ｌ３…賞球払出表示灯（表示装置）、
Ｌ４…遊技中表示灯（表示装置）、Ｌ５…打止め表示灯（表示装置）、
Ｌ６…ＧＯフリッカー表示灯（表示装置）、Ｌ７…７個切りケース作動表示灯（表示装置）、ＣＤ…コード、ＳＰ…スピーカー、ＴＴ…タッチ端子、ＲＹ１，ＲＹ２…リレー、ｒ１−１，ｒ１−２，ｒ２−１，ｒ２−２…リレー接点、
ＳＷ１…タッチスイッチ、ＳＷ２…ダイヤルスイッチ、
ＳＷ３…単発スイッチ、ＳＷ４…押ボタンスイッチ、
ＳＷ５…金枠検出スイッチ（防犯装置）、
ＳＷ６…磁石検出スイッチ（防犯装置）、
ＳＷ７…７個切り入力信号スイッチ、ＳＷ８…賞品球切れ検出スイッチ、
ＳＷ９…球切れスイッチ、ＳＷ１０…賞球ケース連動スイッチ、
ＳＷ１１…ケース切り信号スイッチ、ＳＷ１５…賞品球切れ検出スイッチ、
ＳＯＬ１…７個切りソレノイド、
Ａ１〜Ａ１１…コネクタ、Ｂ１〜Ｂ６…コネクタ、Ｃ１…コネクタ、
Ｄ１〜Ｄ６…コネクタ、Ｅ１…コネクタ、ＦＩ〜Ｆ４…コネクタ、
Ｇ１〜Ｇ３…コネクタ、ＨＩ〜Ｈ４…コネクタ、Ｉ１〜Ｉ７…コネクタ。」
（３）図面の訂正
　第４，５図を削除。
　
【３】訂正の適否についての判断
（１）特許請求の範囲の訂正
　上記訂正は、訂正前の「賞品球数設定と払い出し動作の駆動制御をする賞品球排出装置の制御基板（２４）」という記載を、実施例に即して「賞品球数設定と払い出し動作の駆動制御をする制御回路が設けられた賞品球排出装置の制御基板（２４）」という下位概念に限定するなど、特許請求の範囲の減縮を目的とするものであり、また、「コネクタと（Ｂ２）を脱着可能に配線接続」という不明瞭な記載を、実施例に即して明瞭なものとする、明瞭でない記載の釈明を目的とするものであり、新規事項の追加に該当せず、実質的に特許請求の範囲を拡張又は変更するものでもない。
（２）発明の詳細な説明の訂正
　上記訂正は、特許請求の範囲の記載と発明の詳細な説明の記載とを整合させるための明瞭でない記載の釈明を目的とするものと認められる。
（３）図面の訂正
　上記訂正は、発明の詳細な説明の記載と図面の記載とを整合させるための明瞭でない記載の釈明を目的とするものと認められる。
（４）むすび
　以上のとおりであるから、上記訂正は、特許法第１２０条の４第２，３項で準用する第１２６条第２，３項の規定に適合するので、当該訂正を認める。
　
【４】特許異議申立てについての判断
（１）本件発明
　本件発明の要旨は、上記平成１２年１１月２８日付け訂正明細書の特許請求の範囲に記載された事項により特定されるとおりのものである。
（２）異議申立ての理由の概要
　申立人は、証拠として甲第１〜１２号証を提出し、訂正前の本件発明は、甲第１〜１２号証に記載された発明に基いて当業者が容易に発明をすることができたものであり、特許法第２９条第２項の規定により、特許を受けることができないのものであるから、本件発明の特許を取り消すべき旨主張している。
（３）甲号各証
（３−１）上記甲号各証には、下記の事項が図面とともに記載されている。
＜甲第１号証（特開昭６２−１４４６７９号公報）＞
　「パチンコ球を遊技盤に打出して遊技する遊技機であって、
　上記遊技盤に設定された特定位置において球を検出したことに伴ない始動信号を発生し得る球検出具を含む始動信号発生手段と、
　打球の入賞口に対する開閉部材を適宜電気的な操作手段により打球の入賞が有利とされる開放状態と不利とされる閉鎖状態とに変化自在に構成された開閉式入賞装置と、
　上記始動信号に基いて電気的表示作動を開始して複種類の図柄を連続的に変更表示しながら個々に固定表示し得るように構成された電気的な図柄表示装置と、
　上記遊技機の前側に設置され上記図柄可変表示装置に遊技者の意志に基いて希望とする一つの図柄を選択操作するに必要な選択信号を発生する選択操作検出具を含む選択信号発生手段と、
　上記始動信号および選択信号に応答して上記図柄可変表示装置および開閉式入賞装置を作動制御するための制御部とを備えており、
　上記図柄可変表示装置は、予じめ設定された複種類の図柄を可変表示し得る複種個の表示器を配設し、その一つの表示器を図柄選択表示可能にし、他の表示器を図柄自動表示可能にし、
　上記制御部では、上記始動信号および選択信号を情報として入力する入力回路と、この入力回路からの情報変換出力に応答して上記図柄可変表示装置に対する表示作動制御を開始し図柄表示態様にかかる必要な情報を演算処理して各表示器に対する図柄可変表示停止条件を制御するとともに各表示器に固定表示された夫々の図柄の組合せ条件を判定する演算処理回路と、演算処理回路から出力されるデータに基いて上記各表示器に対する図柄表示入力および前記開閉式入賞装置の制御部材に対する作動入力を与える駆動回路と、上記演算処理回路における図柄組合せ条件の判定結果において、上記各表示器における夫々の図柄について一つの図柄が組合せ条件設定外の異種図柄であった場合に当該表示器に対して再度図柄可変表示条件を入力する再可変表示制御回路とを有するよう構成したことを特徴とする図柄可変組合せ表示式遊技機。」（特許請求の範囲）、
　「前述の図柄可変組合せ表示技術にかかる構成例を説明すると、第１図および第２図に略示するように前記遊技盤１０の所定位置に複数個（図示３個）の入賞検出具１５，１５と、電動式の大入賞装置１８と、電気的図柄可変表示装置２５が夫々配置されている。各々の入賞検出具１５，１５では、入球に対応して表置装置２５に表示作動開始条件を付加するもので、第３図に示すようにゲーム面に臨む入賞口１６と、同口１６に対し遊技盤１０の裏面に設置された検出スイッチ１７とを有し、そして入賞口１６に入った打球をセーフ球とし得るとともに同セーフ球をスイッチ１７により１個ずつ検出してその都度入球始動信号を発する。」（第３頁右上欄第８〜２０行）、
　「上記大入賞装置１８では表示装置２５における図柄組合せ成立時に開成条件が付加されるもので、第４図に示すようにゲーム面に取着される本体１９中央に開設された横長の大入賞口２０と、この大入賞口２０前面に対設された開閉板２１と、大入賞口２０内の所定位置に設置された連続検出具２２と、大入賞口２０の出口側に組込まれた球数検出具２３と、そして本体１９の裏側（遊技盤１０裏側）に設置されて上記開閉板２１に連繋された電磁ソレノイド２４等を備えており、上記両検出具２２，２３およびソレノイド２４の互いの設定作動条件に応じて開閉板２１を開閉し得る。」（第３頁左下欄第１〜１２行）、
　「上記連続作動検出具２２は、大入賞装置１８自体の連続作動条件を設定検出するためのもので、大入賞口２０に入ったセーフ球の少なくとも１個が同検出具２２の通路内を通入した際、同セーフ球を連続作動用ラッキー球として検出してその都度ラッキー再可動信号を発する。一方球数検出具２３は、大入賞口２０に入った全てのセーフ球（上記ラッキー球をも含む）をカウント的に検出するためのもので、上記ソレノイド２４の設定作動時間内において最高Ｎ個（例えば１０個）までの設定条件で１球ずつ加算式または減算式に基づいて検出する。そしてソレノイド２４は、前記表示装置２５における図柄組合せ成立時に対応して可動条件が付加されるもので、作動（励磁）時間が最大Ｔ秒（例えば３０秒）に設定されており、この作動中において上記球数検出具２３からのカウント終了信号（Ｎ個のセーフ球のカウント終了時に発せられる信号をいう）があればこれに応答して作動時間の残存に拘らず直ちに停止（消磁）され、また上記信号がなければセーフ球のＮ個未満に拘らず励磁時間経過と同時に停止される。そして同ソレノイド２４は、上記連続作動検出具２２からのラッキー再可動信号があれば、これに応答して上記設定条件に従がい設定回数に亘り再可動し得る。」（第３頁左下欄第１３行〜右下欄第１６行）、
　「前記図柄可変装置２５は、前記各入賞検出具１５，１５からの入球始動信号毎に応答して図柄の表示態様が設定プログラムに基いて電気的に変更されるもので、第５図および第６図に示すように、遊技盤１０のゲーム面に取着された器本体２６の裏側に表示基盤２８が組付けられており、器本体２６では４つの表示窓２７，２７が開設され、また表示基盤２８では一方の面に当該表示窓２７，２７に嵌合される４個の表示器２９，３０が配設され、他面に前記各入賞検出具１５、連続作動検出具２２、球数検出具２３およびソレノイド２４に対する夫々の接続端３１，３２，３３，３４そして後述する制御基盤４１に対する接続部３５が配設されており、そしてこれら各部品が表示基盤２８自体に設定された回路に接続されて１つの制御盤単位に構成されている。」（第４頁左上欄第５〜２０行）、
　「前述した表示装置２５の可変表示用の制御基盤４１は、前記遊技盤１０の裏側に適宜装備される制御ボックス４０内に組込まれて第５図に例示するように電源側と前記表示基盤２８の接続具３５に各々接続されるようになっており、そしてその制御系統が第７図に夫々例示するように構成されている。要約説明すると、まず電源回路４２では、制御基盤４１全体にかかる基本電源として、交流（ＡＣ２４Ｖ）が使用され、そして整流された夫々の直流電源（例えばＤＣ５Ｖ，１２Ｖ，３３Ｖ）が必要とする夫々の回路部に使用される。クロック発生回路４３では、発振回路部から出力された基本クロックが分周回路部で分周され、そして夫々の分周クロックが後述する中央演算処理部４６の基本動作クロックと、リセット周期クロックとされる。情報入力部４４では、前述した各入賞検出具１５連続作動検出具２２球数検出具２３そして停止スイッチ３８および選択スイッチ３９があり、これらから発せられる夫々の情報出力が全て入力回路４５に入力される。入力回路４５では、上記情報入力部４４から各情報入力を受けてそれに対応する情報信号を中央演算処理部４６に送る。中央演算処理部４６では、命令、データ等の種々の情報を記憶しているロム４７と、入力情報を記憶するラム４８と、情報を論理的に演算および処理する中央演算装置（ＣＰＵ）４９そして演算装置４９からアドレス信号およびコントロール信号を受けてデータの送受をなすアドレスデコーダ部５０とを備えており、上記入力回路４５からの情報信号に基いて演算処理して判定し、そしてその必要な信号を出力保持回路５１へ夫々出力する。そしてこの回路５１からの出力条件に応じて駆動回路５２が働き作動部５３が設定条件に基いて夫々作動される。ただし同作動部部５３には前記表示装置２５における各表示器２９，３０，３０および大入賞装置１８における電磁ソレノイド２４そしてその他必要なランプ類等が含まれる。
　本例の遊技機における図柄可変組合せ表示式ゲームは、前述の構成から理解されるように遊技者の意志により図柄可変表示装置２５における選択表示具２９に１つの図柄が選択されたもとで、遊技盤１０のゲーム面に打出された打球が各々の入球検出具１５，１５に入賞したことに供ない入球始動信号が発生される毎に開始されることになり、各信号に応答して表示装置２５が、制御基盤４１の中央演算処理部４６に設定されたプログラムに基いて表示作動されて夫々のセグメント表示器が個別的に図柄を連続的に変更表示して順次停止し、そして個別表示の結果に得られた夫々の図柄（数字）の組合せ成立条件が判定されるものである。」（第５頁右上欄第１０行〜右下欄第１９行）、
　「前述した図柄可変表示態様にあって、夫々の図柄の組合せ条件成立の判定結果が得られると、前述した「大当り」の価値として前記大入賞装置１８に対する開成作動条件が付与され、これに伴い同装置１８の電磁ソレノイド２４が、第８図に例示する制御回路に基いて動作制御される。すなわち前記中央演算処理部４６内の判定部では、図柄の組合せ条件が予め設定されており、また組合せ条件の成立（大当り）に対応するソレノイド励磁時間がラム４８内に設定されている。そこで組合せ条件成立において前記ＣＰＵ４９から成立出力として励磁信号が出力保持回路５１におけるＩＣ８に入力される。次いで同回路５１からの励磁出力が駆動回路５２におけるトランジスタ５２ｂに入力されることにより、同トランジスタ５２ｂが所定時間に亘り導通され、これに対応して上記ソレノイド２４が励磁保持される。
　この結果大入賞装置１８では、上記ソレノイド２４の励磁動作に従って開閉板２１が開放され大入賞口２０が開口される。これにより遊技板１０に打出された打球について、大入賞口２０への入賞が容易になるとともに入賞確率が高くなり、多くのセーフ球が発生し得ることにより多くの賞品球の獲得が容易になる。特に上記ソレノイド２４が前述した連続作動検出具２２からのラッキー再可動信号に対応して再度励磁動作が可能であることから、大入賞装置では、ラッキー再可動信号の発生条件により連続開成作動が期待できる。」（第８頁左上欄第５行〜右上欄第１２行）。
＜甲第２号証（特開昭５９−１０５４７６号公報）＞
　「遊技盤３の裏側には第４図に示すように一定間隔を保持させて入賞チャッカー１０や電動入賞装置１２に入賞した玉を集合する入賞玉集合カバー１３を取付け、その入賞玉集合カバー１３の外側表面に電子制御回路を組込んだ基盤１４を損傷しないようにボックス１５の内部に収めて固着している。そして、基盤１４からボックス１５の外に引き出された数本の導線１６は遊技盤３の裏面に取付けたターミナル１７を介して入賞チャッカー１０のスイッチ９や電動入賞装置１２の電気的駆動機構１１に接続してあり、また基盤１４からボックス１５の下方に引き出された別の導線１８の先端には電源に接続するカップラー１９を備えさせている。このカップラー１９を電源に接続すると電子制御回路が閉成され電動入賞装置１２は該回路に基いて定められた動作を行うことができるものであり、このようにして遊技盤３を一体化して完成している。
　機構板５は遊技盤３に固着されたボックス１５に対応する部分に開口２０が形成され、これによつて従来パチンコ機と同様に遊技盤３の裏面に自由に閉止できるようになつている。また機構板５には従来公知の入賞玉制御器２１や景品玉排出機構２２等の一連の裏部品が設けてある。従つて、遊技盤３を前面枠２の裏側に設置し、機構板５を遊技盤３の裏面に閉止して締付金具７によってクランプした後、カップラー１９を電源コードに接続することによって簡単に遊技盤３の交換を完了することができるものである。
　すなわち、遊技盤３はその表面に設けられた電動入賞装置１２を動作させる電子制御回路を一体に備え、かつその電動入賞装置１２を電子制御回路に基いて予め定められた動作を行わせるように電気配線して一体化して完成させたので、遊技盤３の交換の際に面倒な配線作業が一切不要となり、しかも誤配線の虞れもなくなる。また、工場で電子制御回路の検査を行うことができるので不良品発見も容易になる。更に遊技中に機構板５を開く必要が生じても電源に接続されたカップラー１９を外すだけで容易に達成できるのである。
　以上のように、本発明は、電子制御回路に基いて予め定められた動作を行う電動入賞装置１２が設けられた遊技盤３の交換を迅速かつ容易にできる方法を与えることになる。更に、電子制御回路の検査が工場で簡単にでき、しかも遊技盤３の交換時に面倒かつ高度な配線作業を一切必要としないから、従来のように受注先に専門の技術者を派遣しないでもすむということになる等の多大な効果を有するものである。」（第２頁右上欄第１９行〜第３頁左上欄第６行）。
＜甲第３号証（特開昭６２−６８４７５号公報）＞
　「遊技盤の前面側に固定される電気部品を前記遊技盤の背面側に配置される制御部に結線するようにしたパチンコ機において、
　前記制御部からの導線が連結されるコネクタ板を前記遊技盤の背面に固定するとともに、このコネクタ板に前記電気部品の基板に取付けたコネクタを接続するようにしたことを特徴とするパチンコ機における電気部品の結線構造。」（特許請求の範囲）、
　「ここでいう電気部品としては、例えば入賞を検知するマイクロスイッチ、アタッカー（入賞口）を開閉するソレノイド、ＬＥＤ等の各種役物や入賞装置、各部の作動状態や入賞を表示したり、遊技自体を興味のあるものにするための各種の表示ランプがある。この表示ランプにも種類が多く、賞球の排出に際してこれが行なわれていることを確認できるようにした表示ランプ、入賞装置に一体的に設けられて当該入賞装置が作動状態にあることを表示する表示ランプ、あるいは風車の背面側に取付けられて各種の入賞装置等が作動していることを表示する表示ランプ等がある。」（第１頁右欄第１〜１３行）、
　「さらには、電気部品に対する配線がハンダ付けで行なわなければならないものであると、他の部品や配線に注意しながらその接続作業を行なわなければならないから、従来のハンダ付けを主体とする結線構造では製造上も不便である。」（第２頁左下欄第３〜７行）、
　「解決しようとする問題点は、パチンコ機における各種電気部品配線の結線作業上、部品交換や清掃等のメンテナンス作業上、あるいは役物等の取付位置調整作業上の不便さである。すなわち、本発明が解決しようとする問題点は、各種電気部品の配線がこれに固定的に結線されていることによる各種作業の行ないにくさである。
　そして、本発明の目的とするところは、電気部品の配線あるいは結線部分を容易に分離することができて、当該電気部品及び他の電気部品等のメンテナンス等の各種作業上に邪魔にならないようにすることができるとともに、役物等の取付位置調整作業をも容易に行なうことのできる結線構造を提供することにある。」（第２頁右下欄第１〜１４行）、
　「まず、表示ランプ（２０）及びマイクロスイッチ（３３）を遊技盤（１１）に取付けるにあたっては、その基板（３１）を遊技盤（１１）に形成してある孔（１１ａ）の前面側所定位置に配置して位置決めしてから、この基板（３１）を遊技盤（１１）に固定する。これによっても基板（３１）と一体的な表示ランプ（２０）を代表とする電気部品のコネクタ（２１）は、遊技盤（１１）の前面側から孔（１１ａ）を通して遊技盤（１１）の背面側に挿入されるから、このコネクタ（２１）に、図示しない制御部側に電気的に接続されたコネクタ板（２２）を遊技盤（１１）の背面側から　合する。そして、このコネクタ板（２２）を遊技盤（１１）側に固定する。これによって、表示ランプ（２０）等のコネクタ（２１）とコネクタ板（２２）とは電気的に接続される。このようにして、コネクタ（２１）とコネクタ板（２２）との結線作業が完了する。（第５図参照）
　これとは逆にコネクタ板（２２）を遊技盤（１１）から取り外して、コネクタ（２１）とコネクタ板（２２）との　合を解けば、コネクタ板（２２）側の導線（２３）を基板（３１）から自由な状態に簡単にすることができる。これによって、基板（３１）は、コネクタ板（２２）の導線（２３）に規制されることなく容易に遊技盤（１１）から取り外すことができる状態となる。このように、コネクタ板（２２）を遊技盤（１１）から外せば、基板（３１）は導線（２３）とは関係のない自由な状態となり、それ自身の取付け・取り外し及び位置調整を容易に行なえる状態となることは勿論のこと、この基板（３１）に設けた表示ランプ（２０）や各マイクロスイッチ（３３）の交換等のメンテナンスを容易に行なうことができる状態となる。
　勿論、当該表示ランプ（２０）等とは別の電気部品のメンテナンス作業等を行なう場合に、当該表示ランプ（２０）等の導線（２３）が邪魔になっている場合であっても当該表示ランプ（２０）等の導線（２３）は容易に外すことができるのであるから、上述したようにしてこの導線（２３）を外せば、当該表示ランプ（２０）とは別の電気部品のメンテナンス作業等を容易に行なうことができる状態にできるのである。
　以上のことは、賞球排出確認のための表示ランプ、風車に設けられた表示ランプの場合についても同様であり、勿論入賞を検知するマイクロスイッチ、アタッカー（入賞口）を開閉するソレノイド、ＬＥＤ等の各種役物や入賞装置等の他の電気部品の場合についても同様である。」（第３頁右上欄第３行〜右下欄第１０行）、
　「そして、本発明に係る結線構造によれば、例えば特に電気部品のメンテナンス完了後において、基板（３１）を遊技盤（１１）にあらためて固定するに際しコネクタ板（２２）を遊技盤（１１）に固定したままの状態にしておくことができるので、いわば位置決めされた状態のままであるこのコネクタ板（２２）に基板（３１）側のコネクタ（２１）を単に　合させるのみで当該基板（３１）の遊技盤（１１）に対する位置決めを行なうことができ、従来行なわれていたように基板（３１）の遊技盤（１１）に対する位置決めは全く不要となって、メンテナンス完了後の基板（３１）の固定を極めて簡単に行なうことができるのである。
　また、このように導線（２３）が取付けられているコネクタ板（２２）は容易に取付け及び取り外しができるのであるから、当該電気部品用の導線（２３）が他の導線と交差したりメンテナンスを行なわなければならない他の部分上にきている場合であっても、この導線（２３）を容易に取り除くことができ、従来のパチンコ機に比して遊技盤（１１）の背面におけるメンテナンス等を極めて容易に行なうことができるものである。
　さらに、コネクタ（２１）とコネクタ板（２２）との接続は、従来のパチンコ機におけるようなハンダ付けを使用しないで行なうことができるから、遊技盤（１１）の背面における各電気部品の組付け・配線の接続作業を他の装置・電気部品やその配線等に注意を払いながら行なう必要が全くなくなって、パチンコ機の製造上においても便利にすることができるのである。」（第４頁右下欄第１４行〜第５頁右上欄第６行）。
＜甲第４号証（特開昭６０−２１７７９号公報）＞
　「１１は第２スイッチであり、上記入賞装置に入る打球を検出してオンするもので、その一端はアースされ、他端は制御回路１２の端子１３に接続される。このスイッチ１１に抵抗１４が並列に接続されており、この抵抗１４はスイッチ１１と機械的に一体となるもので、例えば第２スイッチ１１が端子１３から取りはずされると、この抵抗１４も一体となって取りはずされることになる。」（第２頁右上欄第１４行〜左下欄第１行）。
＜甲第５号証（特開昭５８−１４８０号公報）＞
　「第４図に示す制御回路は、大きく分けてゲーム装置の作動制御のためのゲーム制御部１００と、ゲーム結果を判定し、複数の変動入賞装置を前述した継続動作も含めた各種態様で付勢制御するための主制御部２００とに分けることができる。」（第４頁右上欄第１３〜１７行）。
＜甲第６号証（実願昭５５−１１３３０２号（実開昭５７−３６９７３号）のマイクロフィルム）＞
　「裏機構１は、コインレール装置２、コイン検出器３、コイン収容筒４、コインタンク５、コイン不足検出器６、コイン排出装置７及び中継基板８等から成る。中継基板８は、第３図に示すとおり、電気部品の配線を集中させたものである。」（第２頁第５〜１０行）、
　「裏機構板１に設けた中継基板８と遊技盤１６に装着した制御装置１８とをコネクター接続することにより電気部品の保守点検が容易になる等の効果を有する。」（第３頁第１２〜１５行）。
＜甲第７号証（実願昭５５−１１８５２７号（実開昭５７−４２８７５号）のマイクロフィルム）＞
　「コイン式パチンコ機本体の機能に係る配線系統と遊技内容に係る配線系統とを分離して夫々中継基板に集約し、この中継基板と制御装置とを接続したことを特徴とするコイン式パチンコ機の配線処理構造。」（実用新案登録請求の範囲）、
　「配線をコイン式パチンコ機本体の機能に係る配線系統とマトリツクス等の遊技内容に係る配線系統との二系統に分離し、各系統の配線を夫々別個の中継基板に集約し、これ等とマトリツクス等の制御装置とをコネクター等を以つて接続したものである。」（第２頁第４〜１０行）、
　「この制御装置２９に対し、叙上の各電気・電子装置及び部品間の配線を、コイン式パチンコ機本体の機能に係るグループ（Ａブロツク）と遊技内容に係るグループ（Ｂブロツク）との二系統に分離し、各系統の配線を夫々の中継基板３０に集約し、この中継基板３０と制御装置２９とをコネクター等を介して接続したものである。Ａブロツクを第１中継基板３０ａに、Ｂブロツクを第２中継基板３０ｂに集約して配線し、第１中継基板３０ａを裏機構板１７裏面に、第２中継基板３０ｂを遊技盤１７の裏面に設けている。第５図はこの配線状態を示すブロツク図である。」（第５頁第５〜１７行）、
　「本考案の如く、コイン式パチンコ機本体の機能に係る系統、即ちＡブロツクと分離することにより、Ａブロツクは何れの機種にも対応し、互換性のあるコイン式パチンコ機を提供する点に著しい効果を有する。又、Ａブロツクを遊技盤１７と分離し、これと着脱自在に構成した裏機構板６に装着することにより、裏機構板６ともども新規の遊技機に再利用できる利点もある。」（第６頁第１０〜１７行）。
＜甲第８号証（実願昭５７−１２６８９０号（実開昭５９−３３４７３号）のマイクロフィルム）＞
　「（１）遊技盤と制御装置とターミナルベースとを含んでなるパチンコ機において、
　前記遊技盤は、その表面の遊技部に入賞装置、ゲーム装置、電飾等の遊技部装置群を備え、その裏面に、前記入賞装置への入賞球を検出する入賞球検出器、前記入賞装置、前記ゲーム装置の駆動装置等の裏面装置群を備え、前記遊技部装置群と前記裏面装置群からの集約した配線の先端に遊技盤側コネクタ部材を備え、
　前記制御装置は、前記遊技盤の裏側に設けた裏機構板の一部に装着され、前記遊技盤側コネクタ部材に接続する制御装置側コネクタ部材と、先端にコネクタ接続部材を有し前記ターミナルベースに接続する電源コードとを備え、
　前記ターミナルベースは、打球発射装置、各種表示装置等の固定機能部分からの集約した配線と電力供給路への配線とを備え、
　前記遊技盤と前記制御装置、および前記制御装置と前記ターミナルベースがそれぞれ着脱自在にコネクタ接続されて、前記遊技盤、制御装置、ターミナルベースとがそれぞれ独立配線構造をなしていることを特徴とするパチンコ機。
（２）実用新案登録請求の範囲第（１）項に記載のパチンコ機であって、前記制御装置側コネクタ部材が、パチンコ機表面に臨むように構成した音声発生装置、操作スイッチ等の補助装置の配線と接続する制御装置側コネクタ部材を含むことを特徴とするパチンコ機。」（実用新案登録請求の範囲）、
　「この考案はパチンコ機に関し、特に遊技盤裏側の各種電気配線をコネクタを用いて容易に分離可能な構造としたパチンコ機に関する。
　最近のパチンコ機では、動力源としてソレノイドやモータを利用した大型の変動入賞装置やこれに関連した電飾を備え、それらの作動および点滅を、ＩＣ構成による制御装置によって集中制御する形式のものが数多く普及し、遊技者の人気を得ている。かかるパチンコ機では、裏側の電気配線、特に制御装置の周辺が、従来のものにくらべてどうしても繁雑になりがちであった。そのため、パチンコ機製造の際には組付検査作業に多大な手間を要し、また遊技店でのパチンコ機設置の際には予期せぬ断線や短絡事故が発生することもしばしばあった。さらに配置後の問題として、多数の配線が接続される制御装置に何らかのトラブルが発生したときには、構造上その修理、交換を容易かつ迅速に行い難いことが多かった。
　また、遊技盤を着脱自在構造とし主にその交換により、経済的に新種の遊技に対応できることが特徴の所謂分離式パチンコ機が最近徐々に普及しつつあるが、かかるパチンコ機では、遊技盤および新種遊技に対応して構成された制御装置の新旧交換が容易かつ短時間で可能なことが要求される。」（第２頁第１７行〜第３頁第２０行）、
　「第３図は、裏面装置群を含む本考案パチンコ機の裏面図である。裏面装置群は、例えば入賞装置１０への入賞球を検出する入賞球検出器（図示されないが、第２図に示す入賞装置１０に対応する裏側部分に通常設けられる公知の装置）、前記入賞装置１０及びゲーム装置１１の駆動装置２１等からなる。この図面において、３は裏機構板、４０は制御装置、４３は該制御装置４０の電源コード、１８は打止表示ランプ、５０はターミナルベース、５３は該ターミナルベース５０の電力供給路への配線、２２は上タンク、５２はターミナルベース５０から後述する固定機能部分への配線、１５は駆動表示ランプ、１６は賞球表示ランプ、２３は玉不足検出器、３２は後述の遊技盤側コネクタ部材３０と制御装置側コネクタ部材４１との接続部、２４は賞球表示スイッチ、２５は前記ターミナルベース５０からの配線５２を打球発射装置２６へ接続するコネクタ、２７は前記打球発射装置２６内の発射モータである。
　第４図は、本考案の主要構成部分を示すものである。遊技盤１の遊技部装置群および裏面装置群の配線の先端には遊技盤側コネク夕部材３０（３０ａ，３０ｂ，３０ｃ）が設けられている。第４図に示す実施例においては、該遊技盤側コネクタ部材３０は、電飾に係る遊技盤側コネクタ部材３０ａ、ゲーム装置に係る遊技盤側コネクタ部材３０ｂおよび入賞装置に係る遊技盤側コネクタ部材３０ｃに分けて設けられている。なお、遊技部装置群および裏面装置群に属する装置の中には、集合ケース３１の内側に構成されるものもあり、それらに係る配線は、適宜集合ケース３１の後方に導きその先端に前記遊技盤側コネクタ部材３０を設ける。
　制御装置４０は、遊技盤１の裏側に設けた裏機構板３の一部に装着されるものであり、前記遊技盤側コネクタ部材３０等をコネクタ接続するための制御側コネクタ部材４１と、その先端にコネクタ接続部材４２を有する電源コード４３とを備える。前記制御装置４０には、パチンコ機表面に臨むように構成した操作スイッチ１９、音声発生装置２０等の補助装置の配線コネクタ部材４４，４５とコネクタ接続するための制御装置側コネクタ部材４１ａを設けることができる。」（第７頁第１０行〜第９頁第１１行）、
　「このようにして、本考案のパチンコ機は、前記遊技盤１と制御装置４０、および前記制御装置４０と前記ターミナルベース５０が、それぞれ着脱自在にコネクタ接続されるようになって、前記遊技盤１、制御装置４０、ターミナルベース５０とが分離可能な独立配線構造を有する。
　したがって、本考案パチンコ機によれば、遊技盤および制御装置の交換が極めて容易なため、新種遊技に迅速かつ経済的に対応できるばかりでなく、パチンコ機が故障した際にも、不良箇所のみを交換することにより迅速に修理が行え、さらにパチンコ機内部の配線が整然となり保守点検をする際にも能率が向上する。」（第１０頁第１〜１３行）。
＜甲第９号証（実願昭６０−８４０２２号（実開昭６１−２０００９１号）のマイクロフィルム）＞
　「複数の電気部品を有する、パチンコ機の入賞装置であって、
　前記複数の電気部品の各配線が接続される複数の部品結線用端子部と、前記各配線を一括して引き出すための配線引出用端子部とが取り付けられた基板を設けたことを特徴とする、パチンコ機の入賞装置。」（実用新案登録請求の範囲）、
　「集合樋２７の一周縁部には、べニア中継基板５１が取り付けられており、このべニア中継基板５１にはコネクタ５２〜６０を有している。ランプ９のコネクタ４１、スイッチ１１のコネクタ４２、スイッチ１２のコネクタ４３、スイッチ１６のコネクタ３４、スイッチ３０のコネクタ３５および発光ダイオード群２１のコネクタ３６は、べニア中継基板５１のコネクタ５２〜５７に夫々接続されている。
　入賞装置４の取付けプレート２５の裏面には、第３図にも示すような、本考案に係る基板（以下、役物中継基板という。）６１が取り付けられている。この役物中継基板６１には、その一方の面に、部品結線用端子部となるコネクタ６２〜６５と、配線引出用端子部となるコネクタ６６とが取り付けられており、これらのコネクタ６２〜６６が取り付けられている側とは反対側の面に、プリント配線が形成されていて、これにより、コネクタ６２〜６５に接続された配線はコネクタ６６から一括して引き出せるようになっている。ソレノイド１８のコネクタ４７、モータ２０のコネクタ４８、スイッチ２０’のコネクタ４９およびランプ２２のコネクタ５０は、この役物中継基板６１のコネクタ６２〜６５に夫々接続されている。６７はソレノイド１８、モータ２０、スイッチ２０’およびランプ２２の配線３７〜４０を一括したかたちの配線で、６８，６９はそのコネクタである。コネクタ６８は役物中継基板６１のコネクタ６６に接続され、コネクタ６９はべニア中継基板５１のコネクタ５８に接続されている。」（第１０頁第２行〜第１１頁第１２行）、
　「
＜１＞
　
＜２＞
　
＜３＞
　
＜４＞
　
＜５＞
　
＜６＞
＜１＞
＜６＞
＜甲第１０号証（特開昭５８−９２３８０号公報）＞
　「電子工業界における半導体集積回路の高密度集積化に伴ってコンピュータが小型化し、ワンボードあるいはワンチップ・マイクロコンピュータを用いた装置が著しく普及している今日、遊技業界においても遊技機の従来の機械的機構をマイクロコンピュータ等を用いて電子化することが試みられ、遊技機の一部の制御機構、特に超電動ヤクモノと呼ばれる各種電動装置の制御には、ＩＣ，ＬＳＩ等を用いた電子制御装置が必要不可欠な存在になりつつある。
　従来、このように電子制御化された遊技機は、個々の遊技機のゲーム内容に応じた個有のシーケンシャル電子制御装置を遊技機に一体に組み込んで製造販売されており、相当に高価なものになっている。遊技業界では、例えばパチンコ機にあっては、顧客吸引のために１年に２乃至３回、新しいゲーム内容のパチンコ機と入れ替えることが慣習となっているので、高価な電子制御装置を用いたパチンコ機を買い替えることはパチンコホールにとって多大な経済的負担となる。
　本発明はかかる事情に鑑みてなされたもので、ハードの追加や改造を不要にしてゲーム内容を変えることができるようにして、異なるゲーム内容に適用できるようにしたきわめて有効、適切な遊技機の制御方法及びその装置を提供することを目的とする。」（第１頁左欄第１７行〜第２頁左上欄第２行）、
　「電子制御装置８は、遊技機の種類によっては遊技機本体に固定又は着脱自在に組み込んで設けるか又は遊技機本体とは別離に例えば遊技機の取付基枠等に設けることができる。電子制御装置８を遊技機に着脱自在又は遊技機本体と別に設けるには、遊技機の端末機を単一又は複数個の一方のコネクタに接続し、電子制御装置８の入出力制御装置９に接続された他方のコネクタに遊技機の該コネクタを着脱自在に接続することによって行なうことができる。
　遊技機の種類によっては遊技盤のみを交換してゲーム内容を変えるようにした分離式と呼ばれるものがあり、この場合は電子制御装置８を遊技盤以外の例えば遊技機枠体又は遊技機の取付基台等に設けておき、遊技盤と電子制御装置８の電気的接続は、遊技盤の裏面に設けたコネクタと電子制御装置８のコネクタで接続すればよい。交換される遊技盤によって、制御されるゲーム内容が異なるが、例えばパチンコ機にあってはパチンコ機の基本機能は同じであるから、それぞれの遊技盤に応じたゲーム内容をそれぞれの定数に表わして電子制御装置８のＰＲＯＭ１２を遊技盤ごとに記憶させれば、交換された遊技盤のゲーム内容を表わすパチンコ機として制御することができる。
　また、遊技機本体は交換することなく、一つの遊技盤のゲーム内容のみを変えることも可能であり、その場合は、例えばパチンコ機においては、セーフ球１個当りの賞球数をオール１５からオール１３に変え、それぞれの入賞装置の関連動作の組合わせの変化及びその作動時間を変える。」（第３頁左上欄第１７行〜左下欄第６行）。
＜甲第１１号証（特開昭５９一１１５０７０号公報）＞
　「制御手段２４は、第５図に示すように、上記保持回路に相当する第１のフリップフロップＦ１のほかに、タイマーＴ１、第１，第２のカウンタＣ１，Ｃ２、第２のフリップフロツプＦ２、発振器Ｐ１、論理ゲートＧ１〜Ｇ９、インバータ１１、波形整型回路６０、微分回路６２、遅延回路６４、デコーダ・ドライバ６６、回数表示装置６８、トランジスタＱ１などを用いて構成される。」（第４頁右上欄第１３〜２０行）、
　「例えば上記制御手段２４は、個別部品によらずに１個もしくは複数個の集積回路を用いて構成することが可能である。さらに別の実施態様としては、上記制御手段２４を、ＣＰＵ（中央処理装置）、ワーキングＲＡＭ、プログラムＲＯＭ、インターフェース等から構成されるマイクロプロセッサシステムを用いて構成することができる。この場合、前述した各種の機能、例えばタイマーやカウンタはソフトウエア的に構成すればよい。」（第６頁右上欄第１４行〜左下欄第３行）。
＜甲第１２号証（特開昭５９−１３９２８４号公報）＞
　「更にパチンコ遊技器１００の裏面には、その具体的位置関係は特に制限されていないので第５図には示していないが、可変表示装置１１０や変動入賞装置１３０ａ，１３０ｂ，１３０ｃを駆動制御する為の電気的制御系が設けられている。この制御系はマイクロコンピュータ及び周辺機器によって構成することができるが、発明の理解を容易ならしめる為その基本原理をブロックに分解して示すと第６図の如くなる。」（第７頁右上欄第１２〜２０行）。
（３−２）対比・判断
　訂正後の本件発明と上記甲号各証記載のものとを対比すると、甲号各証には本件発明の「特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする制御回路が設けられた賞品球排出装置の制御基板（２４）とを各々別基板として備え」た構成について何等記載されていないし、示唆もない。
　甲号各証の中には上記のとおり、本件発明のように、機能別に回路や基板を分け、基板に設けたコネクタ相互を配線接続することが記載されているものがあるが、これらの記載から本件発明の上記具体的構成を想起することが当業者において容易であるとはいえない。
　そして、本件発明は、上記具体的構成により、「入賞装置の制御基板を賞品球排出装置の制御基板より分離独立してそれぞれの基板毎に配置できる構成としたので、入賞の成立とそれに対応される賞品球数の設定とが入賞装置の制御基板の交換のみで設定変更できると共に、賞品球排出装置の制御基板のみの調整交換により対処でき」という明細書記載の作用効果を奏するものである。
　したがって、本件発明は、甲第１〜１２号証に記載された技術に基いて当業者が容易に発明をすることができたものとはいえない。
（４）むすび
　以上のとおりであるから、特許異議申立ての理由及び証拠によっては、本件発明についての特許を取り消すことはできない。
　なお、異議申立人が提出した平成１２年１０月２４日付け上申書の内容についても検討したが、該上申書に添付された各参考資料にも本件発明の上記具体的構成については記載されていない。
　また、他に本件発明についての特許を取消すべき理由を発見しない。
　よって、結論のとおり決定する。
【異議決定日】
平成１２年１２月１４日（２０００．１２．１４）
【訂正の要旨】
（１）特許請求の範囲の訂正
　特許請求の範囲を下記のとおり訂正。
　「特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする制御回路が設けられた賞品球排出装置の制御基板（２４）とを各々別基板として備え、前記入賞装置の制御基板（２３）と前記賞品球排出装置の制御基板（２４）とを他の制御回路基板（２６，２７）及び中継基板（２５Ａ，２５Ｂ）から分離・独立してそれぞれの基板毎にパチンコ機本体に適宜配設すると共に、前記入賞装置の制御基板（２３）と前記賞品球排出装置の制御基板（２４）とに各々コネクタ（Ｂ３），（Ｆ１）を設け、前記両コネクタ（Ｂ３，Ｆ１）を介して前記入賞装置の制御基板（２３）と前記賞品球排出装置の制御基板（２４）とを相互に接続すると共に、前記入賞装置の制御基板（２３）に設けられたコネクタ（Ｂ２）と、前記入賞信号スイッチ（ＳＷ７）から引き出されたコードに設けたコネクタとを脱着可能に配線接続したことを特徴とするパチンコ機。」
（２）発明の詳細な説明の訂正
（２−１）特許明細書（平成８年８月６日付け手続補正書により補正された全文明細書。以下、同じ。）第３頁第２６行〜第４頁第１３行（公報第４欄第２８〜４８行）を下記のとおり訂正。
　「本発明のパチンコ機は、上記課題を解決するために、特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする制御回路が設けられた賞品球排出装置の制御基板（２４）とを各々別基板として備え、前記入賞装置の制御基板（２３）と前記賞品球排出装置の制御基板（２４）とを他の制御回路基板（２６，２７）及び中継基板（２５Ａ，２５Ｂ）から分離・独立してそれぞれの基板毎にパチンコ機本体に適宜配設すると共に、前記入賞装置の制御基板（２３）と前記賞品球排出装置の制御基板（２４）とに各々コネクタ（Ｂ３），（Ｆ１）を設け、前記両コネクタ（Ｂ３，Ｆ１）を介して前記入賞装置の制御基板（２３）と前記賞品球排出装置の制御基板（２４）とを相互に接続すると共に、前記入賞装置の制御基板（２３）に設けられたコネクタ（Ｂ２）と、前記入賞信号スイッチ（ＳＷ７）から引き出されたコードに設けたコネクタとを脱着可能に配線接続したことを特徴とする構成を有するものである。」
（２−２）特許明細書第７頁第２７行〜第８頁第１行（公報第７欄第３２〜３４行）を下記のとおり訂正。
　「第３図は本発明の実施例の電気回路図を示し、２３は電役基板、２４はケース基板、２５Ａは第１端子板、２５Ｂは第２端子板、２６は防犯基板、２７はモーター基板である。」
（２−３）特許明細書第９頁第２４行（公報第８欄第４８行）の「第１実施例」を「実施例」に訂正。
（２−４）特許明細書第１３頁第１０行〜第１７頁第１６行（公報第１１欄第２１行〜第１４欄第１９行）を削除。
（２−５）特許明細書第１７頁第２８行〜第１９頁第１３行（公報第１４欄第３４行〜第１６欄第１６行）を下記のとおり訂正。
　「第１図は、本発明の実施例に係わるパチンコ機の正面図、第２図は、第１図の背面図、第３図は、本発明の実施例の電気回路図である。
１…パチンコ遊技機、２…基枠、３…ガラス板、４…金枠、５…遊技盤、
６…センター役物（入賞装置）、７…チャッカー（入賞装置）、
８…開閉板式役物（入賞装置）、９…開閉羽根式役物（入賞装置）、
１０…アウト球受口、１１…賞球払出口、１２…打球待機樋、
１３…賞球排出口、１４…球受皿、１５…打球ハンドル、１６…外レール、
１７…内レール、２０…賞球タンク、２１…タンクレール、
２２…賞球ケース、２３…電役基板、２４…ケース基板、２５…端子板、
２５Ａ…第１端子板、２５Ｂ…第２端子板、２６…防犯基板、
２７…モーター基板、２８…中継線、２９…中継線、３０…中継線、
３１…中継線、３２…中継線、３５，３７…ヒューズ、３６…差込みプラグ、
３８…整流器、４０…第１端子板、４１…第２端子板、４２…防犯基板、
４３…モーター駆動基板、Ｋ…錠、
Ｍ１…球切りモーター、Ｍ２…発射モーター（発射装置）、
Ｍ３…賞品球払出モーター、Ｌ１…球切れ表示灯（表示装置）、
Ｌ２…不正表示灯（表示装置）、Ｌ３…賞球払出表示灯（表示装置）、
Ｌ４…遊技中表示灯（表示装置）、Ｌ５…打止め表示灯（表示装置）、
Ｌ６…ＧＯフリッカー表示灯（表示装置）、Ｌ７…７個切りケース作動表示灯（表示装置）、
ＣＤ…コード、ＳＰ…スピーカー、ＴＴ…タッチ端子、ＲＹ１，ＲＹ２…リレー、ｒ１−１，ｒ１−２，ｒ２−１，ｒ２−２…リレー接点、
ＳＷ１…タッチスイッチ、ＳＷ２…ダイヤルスイッチ、
ＳＷ３…単発スイッチ、ＳＷ４…押ボタンスイッチ、
ＳＷ５…金枠検出スイッチ（防犯装置）、
ＳＷ６…磁石検出スイッチ（防犯装置）、
ＳＷ７…７個切り入力信号スイッチ、ＳＷ８…賞品球切れ検出スイッチ、
ＳＷ９…球切れスイッチ、ＳＷ１０…賞球ケース連動スイッチ、
ＳＷ１１…ケース切り信号スイッチ、ＳＷ１５…賞品球切れ検出スイッチ、
ＳＯＬ１…７個切りソレノイド、
Ａ１〜Ａ１１…コネクタ、Ｂ１〜Ｂ６…コネクタ、Ｃ１…コネクタ、
Ｄ１〜Ｄ６…コネクタ、Ｅ１…コネクタ、ＦＩ〜Ｆ４…コネクタ、
Ｇ１〜Ｇ３…コネクタ、ＨＩ〜Ｈ４…コネクタ、Ｉ１〜Ｉ７…コネクタ。」
（３）図面の訂正
　第４，５図を削除。
（５４）【発明の名称】
パチンコ機
（５７）【特許請求の範囲】
　特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする
制御回路が設けられた
各々別基板として
それぞれの基板毎に
【発明の詳細な説明】
　産業上の利用分野
　本発明は、入賞装置と入賞装置への入賞に対して賞球を払い出す賞品球払出し装置とを有するパチンコ機に関するものである。
　従来の技術
　従来のパチンコ機の発射装置，賞球排出装置，表示装置，打止め装置及び防犯装置の各制御回路は任意に各装置との関係において設けられたものにすぎなかった。また、各制御回路をまとめて制御基板を構成する場合もあった。
　しかし、各制御回路を１つにまとめると制御基板が大きな形状となって、パチンコ機の裏面に取付ける各部品や装置の障害となり、各部品や装置の形状を制御基板の大きさに合せて制限する必要があった。
　また、モーター，ソレノイド等の電気的ノイズを発生する回路部品を有する制御回路や高い電圧電流の変化により作動する制御回路と微小電圧電流の変化により作動する制御回路とを１つの制御基板に設けると、電気的干渉によって誤作動や故障を生じる恐れがあり、また、１つの制御基板に各制御回路を設けると、の制御素子の損傷や故障等の不良により、制御基板全体を取替えたり、あるいは修理する必要があった。
　また、遊技盤の表面の遊技部に、入賞装置、ゲーム装置及び電飾の遊技部装置群を備え、遊技盤の裏面に、入賞装置への入賞球を検出する入賞球検出器、入賞装置及びゲーム装置の駆動装置の裏面装置群を備え、遊技部装置群と裏面装置群とからの集約した配線の先端に遊技盤側コネクタ部材を備え、遊技盤の裏面に設けた裏機構板の一部に装着された制御基板は、遊技盤側コネクタ部材に接続する制御装置側コネクタ部材と、先端にコネクタ接続部材を有しターミナルベースに接続する電源コードとを備え、ターミナルベースは、打球発射装置、各種表示装置の固定機能部分からの集約した配線と電源供給路への配線とを備え、遊技盤と制御装置および制御装置とターミナルベースがそれぞれ着脱自在にコネクタで接続され、遊技盤、制御装置、ターミナルベースとがそれぞれ独立配線構造をなしたパチンコ機が実開昭５９−３３４７３号として知られている。
　このものは、遊技盤及び制御装置の交換を容易とし、新種遊技に迅速かつ経済的に対応でき、パチンコ機が故障した際に、不良箇所のみを交換することにより迅速に修理が行え、パチンコ機内部の配線が整然となり保守点検をする際にも能率が向上するというものである。
　さらに、遊技盤に取り付けた複数の電気的作動機器と、遊技盤の裏面に設けた球寄せ及び裏機構板と、電気的作動機器を制御するため裏機構板に設けた電気的制御ユニットを有し、球寄せの後面に端子付き中継基板を固定し、遊技盤に単独で取り付けた複数の電気的作動機器のスイッチ関係部品から出てくるリード線を一度中継基盤の端子に着脱可能に接続し、中継基板の端子からリード線を出し、このリード線をコネクタを介して制御ユニットに接続したパチンコ機が、実開昭６０−１８０４８０号として知られている。
　このものは、スイッチ関係部品から出てくるリード線の長さを短くでき、球寄せを取り付けた状態では、各部品のリード線は、すでに中継基板に差し込み接続して、リード線が点検の際に邪魔になることを解消するものである。
　ところで、遊技盤に配設された複数の入賞装置や入賞口の別により、これらの入賞領域に入賞したセーフ球に対する賞球の払出し個数が異ならせて設定されているパチンコ遊技機は公知であるが、特定のセーフ球の発生に対して賞球数の切換が正常に行われなかったり、特定のセーフ球の発生に応じた表示態様が正常に行われない場合には、セーフ球を検出するスイッチや賞球数切換のための回路基板を交換修理する必要がある。しかしながら、上記の従来技術にあっては、制御回路を遊技盤及びターミナルベースから取り外すことはできても、このうち故障箇所のセーフ球を検出するスイッチや賞球数切換のための回路だけをパチンコ機から独立して取り外すことができなかったため、交換修理が大掛かりとなり、故障箇所を絞ることができず、容易かつ迅速に補完作業を行うことができないでいた。
　発明が解決しようとする課題
　本発明の目的は、入賞の成立とそれに対応される賞品球数の設定とが入賞装置の制御基板の交換のみで設定変更できると共に、賞品球排出装置の制御回路において生じる不具合の発見と、その対応処理とが賞品球排出装置の制御基板のみの調整交換により対処でき、入賞装置の制御基板と賞品球排出装置の制御基板との相互接続および入賞信号スイッチの電気部品本体との電気接続において、円滑な接続作業を実現できるパチンコ機を提供することにある。
　課題を解決するための手段
　本発明のパチンコ機は、上記課題を解決するために、特定のセーフ球発生時に作動する入力信号スイッチ（ＳＷ７）が接続され、所定の入賞条件にしたがって入賞装置を駆動表示制御する制御回路が設けられた入賞装置の制御基板（２３）と、前記入力信号スイッチ（ＳＷ７）の作動信号に応じて前記入賞装置の制御基板（２３）から出力されるセーフ球発生信号に基づいて、賞品球数を定めて駆動するための電磁手段（ＳＯＬ１）が接続され、賞品球数設定と払い出し動作の駆動制御をする
制御回路が設けられた
各々別基板として
それぞれの基板毎に
　実施例
　以下、本発明の実施例を図面に基づいて詳細に説明する。
　第１図は本発明の実施例に係わるパチンコ遊技機１の正面図であり、パチンコ遊技機１の基枠２の前面にはガラス板３を設けた金枠４が蝶番により開閉自在に装着され、基枠２にはガラス板３を通して覗かれる遊技盤５が装着されている。
　遊技盤５の中央には入賞装置であるセンター役物６が設けられ、センター役物６の下部及び両側には入賞装置であるチャッカー７がそれぞれ設けられ、中央のチャッカー７の下部には入賞装置である開閉板式役物８が設けられ、開閉板式役物８の両側には入賞装置である開閉羽根式役物９，９がそれぞれ設けられ、開閉板式役物８の下部にはアウト球受口１０が設けられている。
　遊技盤５の下部には賞球払出口１１と打球待機樋１２が設けられ、打球待機樋１２には遊技中に遊技態様に伴う効果音を発生するスピーカーＳＰが設けられ、打球待機樋１２の下部には賞球排出口１３と球受皿１４が設けられ、球受皿１４の側部には打球ハンドル１５が設けられている。
　１６は打球ハンドル１５の操作によりパチンコ球を遊技盤５へ案内する外レール、１７は遊技盤５の遊技部を囲む内レールである。
　パチンコ遊技機１の基枠２の上枠には賞品球が不足すると点灯する球切れ表示灯Ｌ１よりなる表示装置が設けられ、球切れ表示灯Ｌ１の側部には遊技盤５に対して磁石が不正に使用されたり、あるいは金枠４が不正に開放される等の不正行為により点灯する不正表示灯Ｌ２よりなる表示装置が設けられている。
　そして、基枠２の側枠にはセーフ球の発生で賞球ケースの賞球排出装置（図示せず）が作動して賞品球が排出されると点灯する賞球払出表示灯Ｌ３よりなる表示装置が設けられ、賞球払出表示灯Ｌ３の上部には発射モーターの作動時のみに点灯する遊技中表示灯Ｌ４よりなる表示装置が配設され、基枠２の側枠の下部にはセーフ球の発生数や排出された賞品球の数が予定数以上になると打止め装置（図示せず）が作動し、点灯する打止め表示灯Ｌ５よりなる表示装置が設けられ、賞球払出表示灯Ｌ３と打止め表示灯Ｌ５との間には金枠４を係止するための錠Ｋが設けられている。
　遊技盤５の外レール１６の外部には遊技盤５の特定の入賞装置にセーフ球が落入すると点灯するＧＯフリッカー表示灯Ｌ６よりなる表示装置が設けられ、ＧＯフリッカー表示灯Ｌ６の下部には７個の賞品球が排出されると点灯する発光ダイオード等よりなる７個切りケース作動表示灯Ｌ７よりなる賞球数切換表示灯が設けられている。
　また、打球ハンドル１５には遊技者の手が打球ハンドル１５に触れていることを検出するタッチ端子ＴＴと、遊技者の手がタッチ端子ＴＴに触れている時にＯＮするタッチスイッチＳＷ１と、遊技者が打球ハンドル１５を回動するとＯＮするダイヤルスイッチＳＷ２とがそれぞれ設けられ、打球ハンドル１５の上部にはパチンコ球を１個ずつ間歇的に発射させる単発スイッチＳＷ３が配設され、球受皿１４の側部にはパチンコ遊技機１や遊技盤５の入賞装置の作動を遊技者の操作により起動・停止させる押ボタンスイッチＳＷ４が設けられている。
　基枠２には遊技者が金枠４を不正に開放するとＯＮして不正行為を検出する金枠検出スイッチＳＷ５よりなる防犯装置が設けられ、遊技盤５には遊技盤５に対して遊技者が磁石を不正に使用するとＯＮして不正行為を検出する磁石検出スイッチＳＷ６よりなる防犯装置が設けられ、遊技盤５の開閉板式役物８のセーフ球受入口には特定のセーフ球発生時にＯＮする７個切り入力信号スイッチＳＷ７からなる入賞信号検出スイッチが設けられている。
　パチンコ遊技機１の裏面には、第２図に示すように、上部に賞球タンク２０が設けられ、賞球タンク２０の下部にはタンクレール２１が傾斜して設けられ、側部には賞品球を貯留する賞球ケース２２が設けられ、賞球ケース２２には賞球ケース２２内に貯留された１３個の賞品球のうち７個のみを遊技者に供給する７個切りソレノイドＳＯＬ１からなる払出し駆動手段が設けられている。
　パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、ケース基板２４の上方には打止め装置と表示装置の制御回路に連絡する端子板２５が設けられ、ケース基板２４の下方には防犯装置の制御回路を有する防犯基板２６が設けられ、防犯基板２６の側部には発射装置の制御回路を有するモーター基板２７が設けられ、これらの制御回路間が中継線及びコネクタを介して電気的に連絡されている。
　タンクレール２１の下部には、タンクレール２１上の賞品球が切れて遊技者に賞品球として供給される賞品球が不足するとＯＮする賞品球切れ検出スイッチＳＷ８が設けられ、賞球ケース２２の側部上方には賞球ケース２２内に貯留される賞品球が不足するとＯＮする球切れスイッチＳＷ９が設けられ、端子板２５の下部には、賞球ケース２２がセーフ球の発生により作動するとＯＮする賞品球払出検出スイッチとなる賞球ケース連動スイッチＳＷ１０が設けられている。
　防犯基板２６の側部上方には常時回転を行なってセーフ球を区切り、セーフ球に各対応して賞球ケース２２を作動させる球切りモーターＭ１が設けられ、モーター基板２７の上部には打球杆を駆動してパチンコ球を弾発する発射モーターＭ２よりなる発射装置が設けられている。
　そして、電役基板２３にはケース基板２４が図示しないコネクタを介して中継線２８により電気的に連絡され、ケース基板２４には賞品球切れ検出スイッチＳＷ８，球切れスイッチＳＷ９，端子板２５，球切りモーターＭ１及び防犯基板２６が図示しないコネクタを介して中継線２９によりそれぞれ電気的に連絡され、端子板２５には賞球ケース連動スイッチＳＷ１０が図示しないコネクタを介して中継線３０により電気的に連絡され、防犯基板２６にはモーター基板２７が図示しないコネクタを介して中継線３１により電気的に連絡され、モーター基板２７には発射モーターＭ２が図示しないコネクタを介して中継線３２により電気的に連絡されている。
　また、電役基板２３には遊技盤５面に配設された複数の入賞装置を所定のセーフ球受入口へのパチンコ球の落入等の所定の入賞条件にしたがって駆動・表示動作させるための制御回路が設けられている。
　ケース基板２４にはセーフ球発生信号により遊技者に一定数のパチンコ球を賞品球として供給するための賞球排出装置の制御回路が設けられている。
　そして、端子板２５にはセーフ球の発生により遊技者に排出された賞品球が一定数以上になった場合にパチンコ遊技不能とする打止め装置（図示せず）の制御回路と、賞品球が不足した場合に球切れ表示灯Ｌ１を点灯し、不正が発生した場合に不正表示灯Ｌ２を点灯し、セーフ球の発生に対応して賞球払出表示灯Ｌ３を点灯し、遊技中に遊技中表示灯Ｌ４を点灯し、排出した賞品球が一定数以上になると打止め表示灯Ｌ５を点灯し、遊技盤５の特定の位置にセーフ球が入賞するとＧＯフリッカー表示灯Ｌ６を点灯し、７個の賞品球が排出されると７個切りケース作動表示灯Ｌ７を点灯する表示装置の制御回路とが設けられている。
　防犯基板２６には例えば遊技盤５に対して磁石が不正に使用されたり、あるいは金枠４が不正に開放されて、不正行為が行なわれた場合にその点を報知すると共に、遊技不能とする防犯装置の制御回路が設けられている。
　さらに、モーター基板２７には発射モーターＭ２に所定の回転数とトルクを与えるための発射装置の制御回路と、遊技者のパチンコ遊技機１への操作信号を検出して、遊技球の弾発動作を起動・停止する発射装置の制御回路とが設けられている。
　第３図は本発明の
実施例
　第１端子板２５Ａには賞品球切れ検出スイッチＳＷ８と賞球ケース連動スイッチＳＷ１０とが設けられ、第１端子板２５ＡのコネクタＡ１にはヒューズ３５を有するＡＣ２４Ｖ電源への差込みプラグ３６が中継線となる２本のコードＣＤにより接続され、第１端子板２５ＡのコネクタＡ２と電役基板２３のコネクタＢ１とが２本のコードＣＤにより接続され、第１端子板２５ＡのコネクタＡ３とコネクタＡ１及びＡ２が２本のコードＣＤによりそれぞれ接続され、第１端子板２５ＡのコネクタＡ４がコネクタＣ１を介して外部のＡＣ８Ｖ電源に３本のコードＣＤにより接続されている。３７はヒューズである。
　第１端子板２５ＡのコネクタＡ５には球切れ表示灯Ｌ１が２本のコードＣＤにより接続されると共に、賞球払出表示灯Ｌ３が２本のコードＣＤにより接続され、第１端子板２５ＡのコネクタＡ６には遊技中表示灯Ｌ４が２本のコードＣＤにより接続されると共に、不正表示灯Ｌ２が２本のコードＣＤにより接続され、第１端子板２５ＡのコネクタＡ７には打止め表示灯Ｌ５が２本のコードＣＤにより接続され、第１端子板２５ＡのコネクタＡ８が２本のコードＣＤにより打止め信号出力に連絡され、第１端子板２５ＡのコネクタＡ９と防犯基板２６のコネクタＤ１とが７本のコードＣＤにより接続され、このコードＣＤの２本にはコネクタＥ１を介して２本のコードＣＤにより球切りモーターＭ１が接続されている。
　第１端子板２５ＡのコネクタＡ１０には球切れスイッチＳＷ９が２本のコードＣＤにより接続され、第１端子板２５ＡのコネクタＡ１１が２本のコードＣＤにより外部の球切れ信号出力に連絡されている。
　電役基板２３のコネクタＢ２には７個切り入力信号スイッチＳＷ７が２本のコードＣＤにより接続されると共に、７個切りケース作動表示灯Ｌ７が２本のコードＣＤにより接続され、電役基板２３のコネクタＢ３とケース基板２４のコネクタＦ１とが６本のコードＣＤにより接続され、電役基板２３のコネクタＢ４と第２端子板２５ＢのコネクタＧ１とが２本のコードＣＤにより接続され、電役基板２３のコネクタＢ５にはスピーカーＳＰが２本のコードＣＤにより接続され、電役基板２３のコネクタＢ６には押ボタンスイッチＳＷ４が２本のコードＣＤにより接続されている。
　ケース基板２４のコネクタＦ２には賞球ケース２２の作動によりＯＮ・ＯＦＦするケース切り信号スイッチＳＷ１１からなる払出し作動信号スイッチが２本のコードＣＤにより接続され、ケース基板２４のコネクタＦ３には７個切りソレノイドＳＯＬ１が２本のコードＣＤにより接続されている。
　第２端子板２５ＢのコネクタＧ２にはＧＯフリッカー表示灯Ｌ６が２本のコードＣＤにより接続され、第２端子板２５ＢのコネクタＧ３が２本のコードＣＤにより外部の大当り信号出力に連絡されている。
　防犯基板２６にはリレーＲＹ１とＲＹ２が設けられると共に、リレーＲＹ１により作動するリレー接点ｒ１−１，ｒ１−２及びリレーＲＹ２により作動するリレー接点ｒ２−１，ｒ２−２が設けられ、防犯基板２６のコネクタＤ２には磁石検出スイッチＳＷ６が２本のコードＣＤにより接続され、防犯基板２６のコネクタＤ３とモーター基板２７のＨ１とが３本のコードＣＤにより接続され、防犯基板２６のコネクタＤ４にはダイヤルスイッチＳＷ２が３本のコードＣＤにより接続され、防犯基板２６のコネクタＤ５には金枠検出スイッチＳＷ５が２本のコードＣＤより接続され、防犯基板２６のコネクタＤ６とケース基板２４のコネクタＦ４とが２本のコードＣＤにより接続されている。３８は防犯基板２６に設けられた整流器である。
　モーター基板２７にはタッチスイッチＳＷ１が設けられ、モーター基板２７のコネクタＨ２にはタッチ端子ＴＴが１本のコードＣＤにより接続され、モーター基板２７のコネクタＨ３には発射モーターＭ２が４本のコードＣＤにより接続され、モーター基板２７のコネクタＨ４には単発スイッチＳＷ３が２本のコードＣＤにより接続されている。
　次に、この
実施例
　差込みプラグ３６をＡＣ２４Ｖ電源に差込むと、ＡＣ２４Ｖの電圧がヒューズ３５を介して第１端子板２５ＡのコネクタＡ１に入り、コネクタＡ１より一方が第１端子板２５ＡのコネクタＡ２を経て電役基板２３のコネクタＢ１に入り、コネクタＡ１より他方が第１端子板２５ＡのコネクタＡ９より防犯基板２６のコネクタＤ１に入って防犯基板２６の電源となり、防犯基板２６のコネクタＤ１に至る途中でコネクタＥ１を経て球切りモーターＭ１を作動して２４Ｖ電源の入力が行なわれる。
　遊技者が打球ハンドル１５のタッチ端子ＴＴに手を触れると、打球ハンドル１５に設けたタッチスイッチＳＷ１がＯＮし、打球ハンドル１５を手で回すと、打球ハンドル１５に設けたダイヤルスイッチＳＷ２が切換わり、防犯基板２６に設けたリレー接点ｒ２−１，防犯基板２６のコネクタＤ４，防犯基板２６のコネクタＤ３，モーター基板２７のコネクタＨ１，タッチスイッチＳＷ１を経て、モーター基盤２７のコネクタＨ４と単発スイッチＳＷ３を通り、モーター基盤２７のコネクタＨ３より発射モーターＭ２に駆動電流が流れ、発射モーターＭ２が作動して遊技球の発射が行なわれる。
　発射モーターＭ２の作動と同時に、モーター基板２７のコネクタＨ１，防犯基板２６のコネクタＤ３，防犯基板２６のコネクタＤ１及び第１端子板２５ＡのコネクタＡ９を経て、第１端子板１５ＡのコネクタＡ６から電流が流れ、遊技中表示灯Ｌ４が点灯する。
　次いで、発射モーターＭ２により発射された遊技球が遊技盤５に設けた複数の入賞装置に入賞すると、球切りモーターＭ１の作動に合せて賞品球の払出しが行なわれ、それと同時に第１端子板２５Ａに設けた賞球ケース連動スイッチＳＷ１０がＯＮとなる。
　なお、賞品球の払出し直前から払出し終了までケース切り信号スイッチＳＷ１１がＯＮとなっている。
　コネクタＣ１を経てＡＣ８Ｖの外部電源を第１端子板２５ＡのコネクタＡ４に加えると、第１端子板２５ＡのコネクタＡ５よりセーフ球検出信号が出力され、賞球払出表示灯Ｌ３が点灯されて補給信号の出力が行なわれる。
　また、タンクレール２１内の賞品球が不足すると、第１端子板２５Ａに設けた賞品球切れ検出スイッチＳＷ８がＯＮとなり、第１端子板２５ＡのコネクタＡ５より球切れ検出信号が出力され、球切れ表示灯Ｌ１が点灯する。
　さらに、球切れ検出信号は第１端子板２５ＡのコネクタＡ４コネクタＣ１を経て外部に出力され、第１端子板２５ＡのコネクタＡ４を介して外部への接続が行なわれる。
　なお、賞球払出表示灯Ｌ３，球切れ表示灯Ｌ１をＡＣ２４Ｖの同一電源で表示する場合には、コネクタＣ１を第１端子板２５ＡのコネクタＡ３と直結することにより、第１端子板２５ＡのコネクタＡ５よりＡＣ２４Ｖの電圧を出力することが可能であり、この場合、球切れ検出信号には別の球切れ検出スイッチとなる球切れスイッチＳＷ９が接続され、この球切れスイッチＳＷ９の作動信号は第１端子板２５ＡのコネクタＡ１０を介して第１端子板２５ＡのコネクタＡ１１より外部へ出力される。
　遊技盤５に設けた特定の入賞装置に遊技球が入賞すると、電役基板２３のコネクタＢ４から第２端子板２５ＢのコネクタＧ１を介して第２端子板２５ＢのコネクタＧ２より表示信号が出力され、ＧＯフリッカー表示灯Ｌ６を点灯して遊技中の特定の入賞状態を表示し、第２端子板２５ＢのコネクタＧ３より外部へ大当り信号を出力する。
　遊技者がドライバー等を使用して不正に金枠４を開放すると、金枠検出スイッチＳＷ５がＯＮとなり、防犯基板２６のコネクタＤ５から入った信号により、防犯基板２６に設けたりレーＲＹ２が作動し、リレーＲＹ２の作動によりリレー接点ｒ２−１，ｒ２−２が切換わる。
　そして、リレー接点ｒ２−１の切換により、発射モーターＭ２はタッチスイッチＳＷ１を作動しても、打球ハンドル１５に手を触れて左いっぱいに回し、ダイヤルスイッチＳＷ２を初期位置に戻さなければ作動せず、遊技盤５面上に遊技球が打出されず、外レール１６の戻りを応用して打球待機樋１２の残留球の球受皿１４への排出が行なわれる。
　リレー接点ｒ２−２が切換えられると、ＡＣ２４Ｖの電圧が防犯基板２６のコネクタＤ１より第１端子板２５ＡのコネクタＡ９に戻り、第１端子板２５ＡのコネクタＡ６を介して不正表示灯Ｌ２が点灯する。
　また、遊技盤５に対する磁石の不正使用に対しては、磁石検出スイッチＳＷ６がＯＮとなり、防犯基板２６のコネクタＤ２から入った信号により、防犯基板２６に設けた整流器３８により、防犯基板２６のリレーＲＹ１が作動し、リレーＲＹ１の作動によりリレー接点ｒ１−１，ｒ１−２が切換えられ、金枠４の不正開放の場合と同様に作動する。
　遊技盤５面に設けた複数の入賞装置の特定位置への遊技球の入賞により、７個切り入力信号スイッチＳＷ７がＯＮとなり、７個払出しの回数を記憶し、ケース切り信号スイッチＳＷ１１が払出し直前にＯＮとなった時点で、この記憶数が「０」でなければ、７個切りソレノイドＳＯＬ１が作動し、賞球ケース２２の７個のみが賞品球となって払出される。
　そして、電役基板２３のコネクタＢ２より信号が出力され、７個切りケース作動表示灯Ｌ７が点灯して電役基板２３による制御表示が行なわれる。
　また、賞品球の払出の際、７個切りソレノイドＳＯＬ１が断線していると、ケース切り信号スイッチＳＷ１１がＯＮとなった時点で、不正検知信号が電役基板２３のコネクタＢ３より出力され、この出力信号がケース基板２４のコネクタＦ１及びコネクタＦ４を介して防犯基板２６のコネクタＤ６に入って防犯基板２６を作動し、発射モータＭ２の非常停止を行なう。
　さらに、ケース切り信号スイッチＳＷ１１が規定のタイミングの時点でＯＮとならなかった場合にも、不正検知出力が電役基板２３よりケース基板２４を介して防犯基板２６に出力される。
　パチンコ遊技機１の外部のホール側より制御入力を行なう場合には、第１端子板２５ＡのコネクタＡ８に外部より打止め信号として接点入力を入れることにより、第１端子板２５ＡのコネクタＡ９及び防犯基板２６のコネクタＤ１を介して防犯基板２６のリレーＲＹ１が作動し、リレーＲＹ１の作動によりリレー接点ｒ１−１，ｒ１−２がそれぞれ切換わる。
　リレー接点ｒ１−２の切換により、ＡＣ２４Ｖの出力が防犯基板２６のコネクタＤ１より第１端子板２５ＡのコネクタＡ９に戻り、第１端子板２５ＡのコネクタＡ７より打止め信号が出力され、打止め表示灯Ｌ５が点灯する。
　リレー接点ｒ１−１の切換により、金枠４の不正開放による検出と同じ状態となり、防犯基板２６に設けたりレーＲＹ２が作動し、リレーＲＹ２の作動によりリレー接点ｒ２−１，ｒ２−２がそれぞれ切換わる。
　リレー接点ｒ２−１の切換により、発射モーターＭ２が停止し、遊技盤５への遊技球の発射が不可能となる。
　なお、この際、金枠４の不正開放時と同様に、打球ハンドル１５に手を触れて左いっぱいに回すことにより、打球待機樋１２内の残留球を球受皿１４へ抜くことも可能である。
　また、リレー接点ｒ２−２が切換わっているが、リレー接点ｒ１−２も切換わっており、防犯基板２６のコネクタＤ１より第１端子板２５ＡのコネクタＡ９に不正信号が出力されず、不正表示灯Ｌ２が点灯しない。
　発明の効果
　本発明のパチンコ機によれば、入賞装置の制御基板を賞品球排出装置の制御基板より分離独立してそれぞれの基板毎に配置できる構造としたので、入賞の成立とそれに対応される賞品球数の設定とが入賞装置の制御基板の交換のみで設定変更できると共に、賞品球排出装置の制御回路において生じる不具合の発見と、その対応処理とが賞品球排出装置の制御基板のみの調整交換により対処でき、入賞装置の制御基板と賞品球排出装置の制御基板との相互接続および入賞信号スイッチの電気部品本体との電気接続が、これら基板に安定的に固定されたコネクタと浮動状態にされた入賞信号スイッチのコネクタとにより、円滑な接続作業を実現することができる。
【図面の簡単な説明】
　第１図は、本発明の実施例に係わるパチンコ機の正面図、
　第２図は、第１図の背面図、
　第３図は、本発明の
実施例
　１…パチンコ遊技機、２…基枠、３…ガラス板、４…金枠、５…遊技盤、
　６…センター役物（入賞装置）、７…チャッカー（入賞装置）、
　８…開閉板式役物（入賞装置）、９…開閉羽根式役物（入賞装置）、
　１０…アウト球受口、１１…賞球払出口、１２…打球待機樋、
　１３…賞球排出口、１４…球受皿、１５…打球ハンドル、１６…外レール、
　１７…内レール、２０…賞球タンク、２１…タンクレール、
　２２…賞球ケース、２３…電役基板、２４…ケース基板、２５…端子板、
　２５Ａ…第１端子板、２５Ｂ…第２端子板、２６…防犯基板、
　２７…モーター基板、２８…中継線、２９…中継線、３０…中継線、
　３１…中継線、３２…中継線、３５，３７…ヒューズ、３６…差込みプラグ、
　３８…整流器、４０…第１端子板、４１…第２端子板、４２…防犯基板、
　４３…モーター駆動基板、Ｋ…錠、
　Ｍ１…球切りモーター、Ｍ２…発射モーター（発射装置）、
　Ｍ３…賞品球払出モーター、Ｌ１…球切れ表示灯（表示装置）、
　Ｌ２…不正表示灯（表示装置）、Ｌ３…賞球払出表示灯（表示装置）、
　Ｌ４…遊技中表示灯（表示装置）、Ｌ５…打止め表示灯（表示装置）、
　Ｌ６…ＧＯフリッカー表示灯（表示装置）、Ｌ７…７個切りケース作動表示灯（表示装置）、ＣＤ…コード、ＳＰ…スピーカー、ＴＴ…タッチ端子、ＲＹ１，ＲＹ２…リレー、ｒ１−１，ｒ１−２，ｒ２−１，ｒ２−２…リレー接点、ＳＷ１…タッチスイッチ、ＳＷ２…ダイヤルスイッチ、
　ＳＷ３…単発スイッチ、ＳＷ４…押ボタンスイッチ、
　ＳＷ５…金枠検出スイッチ（防犯装置）、
　ＳＷ６…磁石検出スイッチ（防犯装置）、
　ＳＷ７…７個切り入力信号スイッチ、ＳＷ８…賞品球切れ検出スイッチ、
　ＳＷ９…球切れスイッチ、ＳＷ１０…賞球ケース連動スイッチ、
　ＳＷ１１…ケース切り信号スイッチ、ＳＷ１５…賞品球切れ検出スイッチ、ＳＯＬ１…７個切りソレノイド、
　Ａ１〜Ａ１１…コネクタ、Ｂ１〜Ｂ６…コネクタ、Ｃ１…コネクタ、
　Ｄ１〜Ｄ６…コネクタ、Ｅ１…コネクタ、Ｆ１〜Ｆ４…コネクタ、
　Ｇ１〜Ｇ３…コネクタ、Ｈ１〜Ｈ４…コネクタ、１１〜１７…コネクタ。